(57)【要約】  本開示のいくつかの態様は、一般に、ＣＳＩを生成および報告するための方法および装置に関する。
2020536439.tif 000002
【特許請求の範囲】
【請求項１】
２部チャネル状態情報（ＣＳＩ）報告方式において、第２のＣＳＩフィードバック部分においてＣＳＩをフィードバックするために使用すべきＮ個のサブバンドのうちの第１の数Ｍを決定することと、ここにおいて、Ｎが、サブバンドプリコーディング行列インジケータ（ＰＭＩ）報告のためのサポートされるサブバンドの構成された数を表す、
ランクインジケータ（ＲＩ）とレイヤごとの非ゼロ広帯域振幅（ＮＺＷＡ）とに基づいて、前記Ｎ個のサブバンドのうちのいずれを前記Ｍ個のサブバンドから省略すべきかを決定することと、
前記第２のＣＳＩフィードバック部分において前記Ｍ個のサブバンドのためのＣＳＩフィードバックを報告することと
を備える、ワイヤレス通信のための方法。
【請求項２】
Ｍの前記決定が、前記ＲＩおよびＮＺＷＡを使用するマッピングルールに基づく、請求項１に記載の方法。
【請求項３】
Ｍの前記決定が、前記ＲＩおよびＮＺＷＡに基づいてアクセスされるルックアップテーブルに基づく、請求項１に記載の方法。
【請求項４】
前記マッピングテーブルが、基地局によって構成される、請求項３に記載の方法。
【請求項５】
前記マッピングテーブルが、ＣＳＩ報告のための構成されたまたは割り振られたリソースに関連する、請求項３に記載の方法。
【請求項６】
前記マッピングテーブルは、どのリソースがＣＳＩフィードバックのために割り振られるかに応じて別様に生成される、請求項３に記載の方法。
【請求項７】
Ｍの前記決定は、前記第２のＣＳＩフィードバック部分のペイロードサイズに基づいて、前記Ｍ個のサブバンドのための前記ＣＳＩフィードバックが収まることを保証するように実施される、請求項１に記載の方法。
【請求項８】
Ｍが、前記ペイロードサイズのための最大のサポートされる値に基づいて選択される、請求項７に記載の方法。
【請求項９】
連続するサブバンドのセットにおける最良のＣＱＩに関連する第１のサブバンドが、前記Ｍ個のサブバンドに含まれ、
連続するサブバンドの前記セットにおける最悪のＣＱＩに関連する第２のサブバンドも、前記Ｍ個のサブバンドに含まれる、
請求項１に記載の方法。
【請求項１０】
前記Ｍ個のサブバンドに含めるべき前記サブバンドが、間引きパターンに基づく、
請求項１に記載の方法。
【請求項１１】
前記Ｍ個のサブバンドに含めるべき前記サブバンドが、前記サブバンドに関連するＣＱＩにも基づく、
請求項１０に記載の方法。
【請求項１２】
前記間引きパターンが、サブバンドのセットの１つおきのサブバンドの包含を生じる、
請求項１０に記載の方法。
【請求項１３】
２部チャネル状態情報（ＣＳＩ）報告方式において、第２のＣＳＩフィードバック部分においてＣＳＩをフィードバックするために使用すべきＮ個のサブバンドのうちの第１の数Ｍを決定するための手段と、ここにおいて、Ｎが、サブバンドプリコーディング行列インジケータ（ＰＭＩ）報告のためのサポートされるサブバンドの構成された数を表す、
ランクインジケータ（ＲＩ）とレイヤごとの非ゼロ広帯域振幅（ＮＺＷＡ）とに基づいて、前記Ｎ個のサブバンドのうちのいずれを前記Ｍ個のサブバンドから省略すべきかを決定するための手段と、
前記第２のＣＳＩフィードバック部分において前記Ｍ個のサブバンドのためのＣＳＩフィードバックを報告するための手段と
を備える、ワイヤレス通信のための装置。
【請求項１４】
Ｍの前記決定が、前記ＲＩおよびＮＺＷＡを使用するマッピングルールに基づく、請求項１３に記載の装置。
【請求項１５】
Ｍの前記決定が、前記ＲＩおよびＮＺＷＡに基づいてアクセスされるルックアップテーブルに基づく、請求項１３に記載の装置。
【請求項１６】
前記マッピングテーブルが、基地局によって構成される、請求項１５に記載の装置。
【請求項１７】
前記マッピングテーブルが、ＣＳＩ報告のための構成されたまたは割り振られたリソースに関連する、請求項１５に記載の装置。
【請求項１８】
前記マッピングテーブルは、どのリソースがＣＳＩフィードバックのために割り振られるかに応じて別様に生成される、請求項１５に記載の装置。
【請求項１９】
Ｍの前記決定は、前記第２のＣＳＩフィードバック部分のペイロードサイズに基づいて、前記Ｍ個のサブバンドのための前記ＣＳＩフィードバックが収まることを保証するように実施される、請求項１３に記載の装置。
【請求項２０】
Ｍが、前記ペイロードサイズのための最大のサポートされる値に基づいて選択される、請求項１９に記載の装置。
【請求項２１】
連続するサブバンドのセットにおける最良のＣＱＩに関連する第１のサブバンドが、前記Ｍ個のサブバンドに含まれ、
連続するサブバンドの前記セットにおける最悪のＣＱＩに関連する第２のサブバンドも、前記Ｍ個のサブバンドに含まれる、
請求項１３に記載の装置。
【請求項２２】
前記Ｍ個のサブバンドに含めるべき前記サブバンドが、間引きパターンに基づく、
請求項１３に記載の装置。
【請求項２３】
前記Ｍ個のサブバンドに含めるべき前記サブバンドが、前記サブバンドに関連するＣＱＩにも基づく、
請求項２２に記載の装置。
【請求項２４】
前記間引きパターンが、サブバンドのセットの１つおきのサブバンドの包含を生じる、
請求項２２に記載の装置。
【請求項２５】
２部チャネル状態情報（ＣＳＩ）報告方式において、第２のＣＳＩフィードバック部分においてＣＳＩをフィードバックするために使用すべきＮ個のサブバンドのうちの第１の数Ｍを決定することと、ここにおいて、Ｎが、サブバンドプリコーディング行列インジケータ（ＰＭＩ）報告のためのサポートされるサブバンドの構成された数を表す、ランクインジケータ（ＲＩ）とレイヤごとの非ゼロ広帯域振幅（ＮＺＷＡ）とに基づいて、前記Ｎ個のサブバンドのうちのいずれを前記Ｍ個のサブバンドから省略すべきかを決定することとを行うように構成された少なくとも１つのプロセッサと、
前記第２のＣＳＩフィードバック部分において前記Ｍ個のサブバンドのためのＣＳＩフィードバックを送信するように構成された送信機と
を備える、ワイヤレス通信のための装置。
【請求項２６】
２部チャネル状態情報（ＣＳＩ）報告方式において、第２のＣＳＩフィードバック部分においてＣＳＩをフィードバックするために使用すべきＮ個のサブバンドのうちの第１の数Ｍを決定することと、ここにおいて、Ｎが、サブバンドプリコーディング行列インジケータ（ＰＭＩ）報告のためのサポートされるサブバンドの構成された数を表す、
ランクインジケータ（ＲＩ）とレイヤごとの非ゼロ広帯域振幅（ＮＺＷＡ）とに基づいて、前記Ｎ個のサブバンドのうちのいずれを前記Ｍ個のサブバンドから省略すべきかを決定することと、
前記第２のＣＳＩフィードバック部分において前記Ｍ個のサブバンドのためのＣＳＩフィードバックを報告することと
を行うための命令を記憶したコンピュータ可読媒体。
【発明の詳細な説明】
【技術分野】
【０００１】
関連出願の相互参照および優先権主張
[0001]本出願は、本明細書によって本出願の譲受人に譲渡され、以下に完全に記載されるかのように、およびすべての適用可能な目的のために参照により本明細書に明確に組み込まれる、２０１７年１０月２日に出願された国際特許協力条約出願第ＰＣＴ／ＣＮ２０１７／１０５２３８号の利益および優先権を主張する。
【０００２】
[0002]本開示のいくつかの態様は、一般に、チャネル状態情報（ＣＳＩ）の報告に関する。
【背景技術】
【０００３】
[0003]ワイヤレス通信システムは、電話、ビデオ、データ、メッセージング、およびブロードキャストなど、様々な電気通信サービスを提供するために広く展開されている。典型的なワイヤレス通信システムは、利用可能なシステムリソース（たとえば、帯域幅、送信電力）を共有することによって複数のユーザとの通信をサポートすることが可能な多元接続技術を採用し得る。そのような多元接続技術の例は、ロングタームエボリューション（ＬＴＥ（登録商標））システム、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングルキャリア周波数分割多元接続（ＳＣ−ＦＤＭＡ）システム、および時分割同期符号分割多元接続（ＴＤ−ＳＣＤＭＡ）システムを含む。
【０００４】
[0004]いくつかの例では、ワイヤレス多元接続通信システムは、場合によってはユーザ機器（ＵＥ）として知られる、複数の通信デバイスのための通信を各々が同時にサポートする、いくつかの基地局を含み得る。ＬＴＥまたはＬＴＥ−Ａネットワークでは、１つまたは複数の基地局のセットがｅノードＢ（ｅＮＢ）を定義し得る。他の例では（たとえば、次世代または５Ｇネットワークでは）、ワイヤレス多元接続通信システムは、いくつかの中央ユニット（ＣＵ）（たとえば、中央ノード（ＣＮ）、アクセスノードコントローラ（ＡＮＣ）など）と通信しているいくつかの分散型ユニット（ＤＵ）（たとえば、エッジユニット（ＥＵ）、エッジノード（ＥＮ）、無線ヘッド（ＲＨ）、スマート無線ヘッド（ＳＲＨ）、送信受信ポイント（ＴＲＰ）など）を含み得、ここで、中央ユニットと通信している１つまたは複数の分散型ユニットのセットは、アクセスノード（たとえば、新無線基地局（ＮＲ  ＢＳ）、新無線ノードＢ（ＮＲ  ＮＢ）、ネットワークノード、５Ｇ  ＮＢ、ｇＮＢなど）を定義し得る。基地局またはＤＵは、（たとえば、基地局からまたはＵＥへの送信のために）ダウンリンクチャネル上で、および（たとえば、ＵＥから基地局または分散型ユニットへの送信のために）アップリンクチャネル上でＵＥのセットと通信し得る。
【０００５】
[0005]これらの多元接続技術は、異なるワイヤレスデバイスが都市、国家、地域、さらには地球規模で通信することを可能にする共通プロトコルを与えるために様々な電気通信規格において採用されている。新生の電気通信規格の例は、新無線（ＮＲ）、たとえば、５Ｇ無線アクセスである。ＮＲは、第３世代パートナーシッププロジェクト（３ＧＰＰ（登録商標））によって公表されたＬＴＥモバイル規格の向上のセットである。ＮＲは、スペクトル効率を改善することと、コストを下げることと、サービスを改善することと、新しいスペクトルを利用することと、ダウンリンク（ＤＬ）上でおよびアップリンク（ＵＬ）上でサイクリックプレフィックス（ＣＰ）を用いたＯＦＤＭＡを使用して他のオープン規格とより良く統合することとによってモバイルブロードバンドインターネットアクセスをより良くサポートし、ならびにビームフォーミング、多入力多出力（ＭＩＭＯ）アンテナ技術、およびキャリアアグリゲーションをサポートするように設計されている。
【０００６】
[0006]加えて、ＮＲは、データの送信および受信を改善する新しい符号化および復号方式を導入することが予想される。たとえば、ポーラコードが、現在、ＮＲなど、次世代ワイヤレスシステムにおける誤り訂正のための候補と考えられている。ポーラコードは、（無限大に接近するコードサイズＮについて）漸近的にシャノン容量を達成することが証明されているコーディング理論における比較的最近のブレークスルーである。しかしながら、ポーラコードは、Ｎの大きい値においてうまく機能するが、Ｎのより低い値の場合、ポーラコードは、不十分な最小距離という欠点があり、ポーラインナーコードの上で、ＣＲＣまたはパリティチェックなど、優れた最小距離を有する単純なアウターコードを活用し、したがって、組み合わせられたコードが、優れた最小距離を有する、逐次消去リスト（ＳＣＬ）復号など、技法の発展につながる。
【０００７】
[0007]しかしながら、モバイルブロードバンドアクセスに対する需要が増加し続けるにつれて、ＮＲのための符号化および復号方式における改善など、ＮＲ技術のさらなる改善が必要である。好ましくは、これらの改善は、他の多元接続技術と、これらの技術を採用する電気通信規格とに適用可能であるべきである。
【発明の概要】
【０００８】
[0008]以下では、説明される技術の基本的な理解を与えるために、本開示のいくつかの態様を要約する。この概要は、本開示のすべての企図された特徴の包括的な概観ではなく、本開示のすべての態様の主要または重要な要素を識別するものでも、本開示のいずれかまたはすべての態様の範囲を定めるものでもない。その唯一の目的は、後で提示されるより詳細な説明の導入として、本開示の１つまたは複数の態様のいくつかの概念を要約の形で提示することである。
【０００９】
[0009]本開示のいくつかの態様は、本開示のいくつかの態様による、ワイヤレス通信の方法を提供する。本方法は、概して、２部チャネル状態情報（ＣＳＩ）報告方式において、第２のＣＳＩフィードバック部分においてＣＳＩをフィードバックするために使用すべきＮ個のサブバンドのうちの第１の数Ｍを決定することと、ここにおいて、Ｎは、サブバンドプリコーディング行列インジケータ（ＰＭＩ）報告のためのサポートされるサブバンドの構成された数を表す、ランクインジケータ（ＲＩ）とレイヤごとの非ゼロ広帯域振幅（ＮＺＷＡ）とに基づいて、Ｎ個のサブバンドのうちのいずれをＭ個のサブバンドから省略すべきかを決定することと、第２のＣＳＩフィードバック部分においてＭ個のサブバンドのためのＣＳＩフィードバックを報告することとを含む。
【００１０】
[0010]本技法は、方法、装置、およびコンピュータプログラム製品で実施され得る。本発明の特定の例示的な実施形態の以下の説明を添付の図と併せて検討すれば、当業者には、本発明の他の態様、特徴、および実施形態が明らかになろう。本発明の特徴が、以下のいくつかの実施形態および図に関連して説明され得るが、本発明のすべての実施形態は、本明細書で説明される有利な特徴のうちの１つまたは複数を含むことができる。言い換えれば、１つまたは複数の実施形態が、いくつかの有利な特徴を有するものとして説明され得るが、そのような特徴のうちの１つまたは複数は、本明細書で説明される本発明の様々な実施形態に従っても使用され得る。同様に、例示的な実施形態が、以下ではデバイス、システム、または方法の実施形態として説明され得るが、そのような例示的な実施形態は、様々なデバイス、システム、および方法で実装され得ることを理解されたい。
【００１１】
[0011]本開示の上記で具陳された特徴が詳細に理解され得るように、添付の図面にその一部が示される態様を参照することによって、上記で手短に要約されたより具体的な説明が得られ得る。ただし、その説明は他の等しく有効な態様に通じ得るので、添付の図面は、本開示のいくつかの典型的な態様のみを示し、したがって、本開示の範囲を限定するものと見なされるべきではないことに留意されたい。
【図面の簡単な説明】
【００１２】
【図１】[0012]本開示のいくつかの態様による、例示的な電気通信システムを概念的に示すブロック図。
【図２】[0013]本開示のいくつかの態様による、分散型ＲＡＮの例示的な論理アーキテクチャを示すブロック図。
【図３】[0014]本開示のいくつかの態様による、分散型ＲＡＮの例示的な物理アーキテクチャを示す図。
【図４】[0015]本開示のいくつかの態様による、例示的なＢＳおよびユーザ機器（ＵＥ）の設計を概念的に示すブロック図。
【図５】[0016]本開示のいくつかの態様による、通信プロトコルスタックを実装するための例を示す図。
【図６】[0017]本開示のいくつかの態様による、例示的なワイヤレスデバイスのブロック図。
【図７】[0018]本開示のいくつかの態様による、ＤＬセントリックサブフレームの一例を示す図。
【図８】[0019]本開示のいくつかの態様による、ＵＬセントリックサブフレームの一例を示す図。
【図９】[0020]本開示のいくつかの態様による、ワイヤレス通信のための例示的な動作を示す図。
【図１０】[0021]本開示のいくつかの態様による、ＣＳＩ報告のためのサブバンドの数を決定するために使用され得る例示的なテーブルを示す図。
【図１１】[0022]本開示のいくつかの態様による、間引きパターンによって選択されたＣＱＩ関連サブバンドの一例を示す図。
【発明を実施するための形態】
【００１３】
[0023]理解を容易にするために、可能な場合、各図に共通である同じ要素を指定するために同じ参照番号が使用されている。一実施形態において開示される要素が、特定の具陳なしに他の実施形態に対して有益に利用され得ることが企図される。
【００１４】
[0024]本開示の態様は、情報のビットを符号化するための装置、方法、処理システム、およびコンピュータ可読媒体を提供する。そのような符号化は、たとえば、圧縮またはストレージのために、あるいはワイヤレスネットワークを含むネットワークにおける送信のために使用され得る。たとえば、そのような符号化は、新無線（ＮＲ）（新無線アクセス技術または５Ｇ技術）ワイヤレス通信システムのために採用され得る。本開示の態様は、ワイヤレス通信システムに関して提案されるが、本明細書で提示される技法は、そのようなワイヤレス通信システムに限定されないことを理解されたい。たとえば、本明細書で提示される技法は、圧縮またはストレージに、あるいはファイバー通信システム、ハードワイヤコッパー通信システムなど、他の通信システムに等しく適用され得る。言い換えれば、本明細書で提示される技法は、エンコーダを使用する任意のシステムに適用され得る。
【００１５】
[0025]ＮＲは、（たとえば、８０ＭＨｚを超える）広帯域幅をターゲットにする拡張型モバイルブロードバンド（ｅＭＢＢ）、高いキャリア周波数（たとえば、２７ＧＨｚまたはそれを超える）をターゲットするミリメートル波（ｍｍＷ）、非後方互換性ＭＴＣ技法をターゲットにするマッシブＭＴＣ（ｍＭＴＣ）、および／または超信頼型低レイテンシ通信（ＵＲＬＬＣ：ultra reliable low latency communications）をターゲットにするミッションクリティカルななど、様々なワイヤレス通信サービスをサポートし得る。これらのサービスは、レイテンシおよび信頼性要件を含み得る。これらのサービスは、それぞれのサービス品質（ＱｏＳ）要件を満たすために、異なる送信時間間隔（ＴＴＩ）をも有し得る。さらに、これらのサービスは、同じサブフレームにおいて共存し得る。
【００１６】
例示的なワイヤレス通信システム
[0026]本明細書で説明される技法は、ＣＤＭＡ、ＴＤＭＡ、ＦＤＭＡ、ＯＦＤＭＡ、ＳＣ−ＦＤＭＡおよび他のネットワークなど、様々なワイヤレス通信ネットワークのために使用され得る。「ネットワーク」および「システム」という用語はしばしば互換的に使用される。ＣＤＭＡネットワークは、ユニバーサル地上波無線アクセス（ＵＴＲＡ）、ｃｄｍａ２０００など、無線技術を実装し得る。ＵＴＲＡは、広帯域ＣＤＭＡ（ＷＣＤＭＡ（登録商標））、時分割同期ＣＤＭＡ（ＴＤ−ＳＣＤＭＡ）、およびＣＤＭＡの他の変形態を含む。ｃｄｍａ２０００は、ＩＳ−２０００、ＩＳ−９５およびＩＳ−８５６規格をカバーする。ＴＤＭＡネットワークは、モバイル通信用グローバルシステム（ＧＳＭ（登録商標））などの無線技術を実装し得る。ＯＦＤＭＡネットワークは、発展型ＵＴＲＡ（Ｅ−ＵＴＲＡ）、ウルトラモバイルブロードバンド（ＵＭＢ）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、Ｆｌａｓｈ−ＯＦＤＭ（登録商標）などの無線技術を実装し得る。ＵＴＲＡおよびＥ−ＵＴＲＡは、ユニバーサルモバイルテレコミュニケーションシステム（ＵＭＴＳ）の一部である。周波数分割複信（ＦＤＤ）と時分割複信（ＴＤＤ）の両方における３ＧＰＰロングタームエボリューション（ＬＴＥ）およびＬＴＥ−アドバンスト（ＬＴＥ−Ａ）は、ダウンリンク上ではＯＦＤＭＡを利用し、アップリンク上ではＳＣ−ＦＤＭＡを利用するＥ−ＵＴＲＡを使用するＵＭＴＳの新しいリリースである。ＵＴＲＡ、Ｅ−ＵＴＲＡ、ＵＭＴＳ、ＬＴＥ、ＬＴＥ−ＡおよびＧＳＭは、「第３世代パートナーシッププロジェクト」（３ＧＰＰ）と称する団体からの文書に記載されている。ｃｄｍａ２０００およびＵＭＢは、「第３世代パートナーシッププロジェクト２」（３ＧＰＰ２）と称する団体からの文書に記載されている。本明細書で説明される技法は、ワイヤレスネットワークおよび無線技術のために使用され得る。加えて、本明細書で提示される技法は、ファイバーネットワーク、ハードワイヤ「コッパー」ネットワークなどの様々な他の非ワイヤレス通信ネットワークにおいて、あるいはデジタルストレージまたは圧縮において使用され得る。言い換えれば、本明細書で提示される技法は、エンコーダを含む任意のシステムにおいて使用され得る。
【００１７】
[0027]図１は、たとえば、ポーラコードのための最尤（ＭＬ）復号の探索空間を低減するための、本開示の態様が実行され得る、新無線（ＮＲ）ネットワークまたは５Ｇネットワークなどの、例示的なワイヤレスネットワーク１００を示す。いくつかの場合には、ネットワーク１００は、ファイバーネットワーク、ハードワイヤ「コッパー」ネットワークなどであり得る。
【００１８】
[0028]図１に示されているように、ワイヤレスネットワーク１００は、いくつかのＢＳ１１０と他のネットワークエンティティとを含み得る。ＢＳはＵＥと通信する局であり得る。各ＢＳ１１０は、特定の地理的エリアに通信カバレージを提供し得る。３ＧＰＰでは、「セル」という用語は、この用語が使用されるコンテキストに応じて、ノードＢ１１０のカバレージエリアおよび／またはこのカバレージエリアをサービスするノードＢサブシステムを指すことがある。ＮＲシステムでは、「セル」およびｅＮＢ、ノードＢ、５Ｇ  ＮＢ、ＡＰ、ＮＲ  ＢＳ、ＮＲ  ＢＳ、ＢＳまたはＴＲＰという用語は互換性があり得る。いくつかの例では、セルは、必ずしも固定であるとは限らないことがあり、セルの地理的エリアは、モバイル基地局のロケーションに従って移動し得る。いくつかの例では、基地局は、任意の適切なトランスポートネットワークを使用して、直接物理接続、仮想ネットワークなど、様々なタイプのバックホールインターフェースを通して互いに、および／またはワイヤレスネットワーク１００における１つまたは複数の他の基地局またはネットワークノード（図示せず）に相互接続され得る。
【００１９】
[0029]概して、任意の数のワイヤレスネットワークが所与の地理的エリア中に展開され得る。各ワイヤレスネットワークは、特定の無線アクセス技術（ＲＡＴ）をサポートし得、１つまたは複数の周波数上で動作し得る。ＲＡＴは、無線技術、エアインターフェースなどと呼ばれることもある。周波数は、キャリア、周波数チャネルなどと呼ばれることもある。各周波数は、異なるＲＡＴのワイヤレスネットワーク間での干渉を回避するために、所与の地理的エリア中の単一のＲＡＴをサポートし得る。いくつかの場合には、ＮＲまたは５Ｇ  ＲＡＴネットワークが展開され、マルチスライスネットワークアーキテクチャを採用し得る。
【００２０】
[0030]ＢＳは、マクロセル、ピコセル、フェムトセル、および／または他のタイプのセルに通信カバレージを提供し得る。マクロセルは、比較的大きい地理的エリア（たとえば、半径数キロメートル）をカバーし得、サービスに加入しているＵＥによる無制限アクセスを可能にし得る。ピコセルは、比較的小さい地理的エリアをカバーし得、サービスに加入しているＵＥによる無制限アクセスを可能にし得る。フェムトセルは、比較的小さい地理的エリア（たとえば、自宅）をカバーし得、フェムトセルとの関連付けを有するＵＥ（たとえば、限定加入者グループ（ＣＳＧ）中のＵＥ、自宅内のユーザのためのＵＥなど）による制限付きアクセスを可能にし得る。マクロセルのためのＢＳはマクロＢＳと呼ばれることがある。ピコセルのためのＢＳはピコＢＳと呼ばれることがある。フェムトセルのためのＢＳは、フェムトＢＳまたはホームＢＳと呼ばれることがある。図１に示されている例では、ＢＳ１１０ａ、１１０ｂおよび１１０ｃは、それぞれマクロセル１０２ａ、１０２ｂおよび１０２ｃのためのマクロＢＳであり得る。ＢＳ１１０ｘは、ピコセル１０２ｘのためのピコＢＳであり得る。ＢＳ１１０ｙおよび１１０ｚは、それぞれフェムトセル１０２ｙおよび１０２ｚのためのフェムトＢＳであり得る。ＢＳは、１つまたは複数の（たとえば、３つの）セルをサポートし得る。
【００２１】
[0031]ワイヤレスネットワーク１００はまた、中継局を含み得る。中継局は、上流局（たとえば、ＢＳまたはＵＥ）からデータおよび／または他の情報の送信を受信し、そのデータおよび／または他の情報の送信を下流局（たとえば、ＵＥまたはＢＳ）に送る局である。中継局はまた、他のＵＥに対する送信を中継するＵＥであり得る。図１に示されている例では、中継局１１０ｒは、ＢＳ１１０ａとＵＥ１２０ｒとの間の通信を可能にするために、ＢＳ１１０ａおよびＵＥ１２０ｒと通信し得る。中継局は、リレーＢＳ、リレーなどと呼ばれることもある。
【００２２】
[0032]ワイヤレスネットワーク１００は、異なるタイプのＢＳ、たとえば、マクロＢＳ、ピコＢＳ、フェムトＢＳ、リレーなどを含む異種ネットワークであり得る。これらの様々なタイプのＢＳは、様々な送信電力レベル、様々なカバレージエリア、およびワイヤレスネットワーク１００における干渉に対する様々な影響を有し得る。たとえば、マクロＢＳは、高い送信電力レベル（たとえば、２０ワット）を有し得るが、ピコＢＳ、フェムトＢＳ、およびリレーは、より低い送信電力レベル（たとえば、１ワット）を有し得る。
【００２３】
[0033]ワイヤレスネットワーク１００は、同期動作または非同期動作をサポートし得る。同期動作の場合、ＢＳは同様のフレームタイミングを有し得、異なるＢＳからの送信は近似的に時間的に整合され得る。非同期動作の場合、ＢＳは異なるフレームタイミングを有し得、異なるＢＳからの送信は時間的に整合されないことがある。本明細書で説明される技法は、同期動作と非同期動作の両方のために使用され得る。
【００２４】
[0034]ネットワークコントローラ１３０は、ＢＳのセットに結合し、これらのＢＳの協調および制御を行い得る。ネットワークコントローラ１３０は、バックホールを介してＢＳ１１０と通信し得る。ＢＳ１１０はまた、たとえば、ワイヤレスバックホールまたはワイヤラインバックホールを介して直接または間接的に互いに通信し得る。
【００２５】
[0035]ＵＥ１２０（たとえば、１２０ｘ、１２０ｙなど）はワイヤレスネットワーク１００全体にわたって分散され得、各ＵＥは固定または移動であり得る。ＵＥは、移動局、端末、アクセス端末、加入者ユニット、局、顧客構内機器（ＣＰＥ）、セルラーフォン、スマートフォン、携帯情報端末（ＰＤＡ）、ワイヤレスモデム、ワイヤレス通信デバイス、ハンドヘルドデバイス、ラップトップコンピュータ、コードレスフォン、ワイヤレスローカルループ（ＷＬＬ）局、タブレット、カメラ、ゲームデバイス、ネットブック、スマートブック、ウルトラブック、医療デバイスもしくは医療機器、生体センサー／デバイス、スマートウォッチ、スマートクロージング、スマートグラス、スマートリストバンドなどのウェアラブルデバイス、スマートジュエリー（たとえば、スマートリング、スマートブレスレットなど）、エンターテインメントデバイス（たとえば、音楽デバイス、ビデオデバイス、衛星ラジオなど）、車両コンポーネントもしくはセンサー、スマートメーター／センサー、産業用製造装置、全地球測位システムデバイス、またはワイヤレスもしくはワイヤード媒体を介して通信するように構成された任意の他の好適なデバイスと呼ばれることもある。いくつかのＵＥは、発展型もしくはマシンタイプ通信（ＭＴＣ）デバイスまたは発展型ＭＴＣ（ｅＭＴＣ）デバイスと見なされ得る。ＭＴＣ  ＵＥおよびｅＭＴＣ  ＵＥは、たとえば、ＢＳ、別のデバイス（たとえば、リモートデバイス）、または何らかの他のエンティティと通信し得る、ロボット、ドローン、リモートデバイス、センサー、メーター、モニタ、ロケーションタグなどを含む。ワイヤレスノードは、たとえば、ワイヤードまたはワイヤレス通信リンクを介した、ネットワーク（たとえば、インターネットまたはセルラーネットワークなど、ワイドエリアネットワーク）のための、またはネットワークへの接続性を与え得る。いくつかのＵＥは、モノのインターネット（ＩｏＴ）デバイスと見なされ得る。
【００２６】
[0036]図１では、両矢印付きの実線は、ダウンリンクおよび／またはアップリンク上での、ＵＥと、そのＵＥをサービスするように指定されたＢＳであるサービングＢＳとの間の所望の送信を示す。両矢印付きの破線は、ＵＥとＢＳとの間の干渉送信を示す。
【００２７】
[0037]いくつかのワイヤレスネットワーク（たとえば、ＬＴＥ）は、ダウンリンク上で直交周波数分割多重（ＯＦＤＭ）を利用し、アップリンク上でシングルキャリア周波数分割多重（ＳＣ−ＦＤＭ）を利用する。ＯＦＤＭおよびＳＣ−ＦＤＭは、システム帯域幅を、一般にトーン、ビンなどとも呼ばれる複数（Ｋ）個の直交サブキャリアに区分する。各サブキャリアはデータで変調され得る。概して、変調シンボルは、ＯＦＤＭでは周波数領域で、ＳＣ−ＦＤＭでは時間領域で送られる。隣接するサブキャリア間の間隔は固定であり得、サブキャリアの総数（Ｋ）はシステム帯域幅に依存し得る。たとえば、サブキャリアの間隔は１５ｋＨｚであり得、（「リソースブロック」と呼ばれる）最小リソース割振りは１２個のサブキャリア（または１８０ｋＨｚ）であり得る。したがって、公称ＦＦＴサイズは、１．２５、２．５、５、１０または２０メガヘルツ（ＭＨｚ）のシステム帯域幅に対してそれぞれ１２８、２５６、５１２、１０２４または２０４８に等しくなり得る。システム帯域幅はまた、サブバンドに区分され得る。たとえば、サブバンドは１．０８ＭＨｚ（すなわち、６つのリソースブロック）をカバーし得、１．２５、２．５、５、１０または２０ＭＨｚのシステム帯域幅に対してそれぞれ１、２、４、８または１６個のサブバンドがあり得る。
【００２８】
[0038]本明細書で説明される例の態様は、ＬＴＥ技術に関連し得るが、本開示の態様は、ＮＲ／５Ｇなど、他のワイヤレス通信システムを用いて適用可能であり得る。
【００２９】
[0039]ＮＲは、アップリンクおよびダウンリンク上でＣＰを用いたＯＦＤＭを利用し、ＴＤＤを使用する半二重動作のためのサポートを含み得る。１００ＭＨｚの単一のコンポーネントキャリア帯域幅がサポートされ得る。ＮＲリソースブロックは、０．１ｍｓ持続時間にわたる７５ｋＨｚのサブキャリア帯域幅をもつ１２個のサブキャリアをスパンし得る。各無線フレームは、１０ｍｓの長さを有し、２つのハーフフレームからなり得、各ハーフフレームは、各々が１ｍｓの長さをもつ５つのサブフレームを備える。各サブフレームは、データ送信のためのリンク方向（すなわち、ＤＬまたはＵＬ）を示し得、各サブフレームについてのリンク方向は、動的に切り替えられ得る。各サブフレームは、ＤＬ／ＵＬデータならびにＤＬ／ＵＬ制御データを含み得る。ＮＲのためのＵＬおよびＤＬサブフレームは、図６および図７に関して以下でより詳細に説明される通りであり得る。ビームフォーミングがサポートされ得、ビーム方向は動的に構成され得る。プリコーディングを用いたＭＩＭＯ送信もサポートされ得る。ＤＬにおけるＭＩＭＯ構成は、最高８つのストリームおよびＵＥごとに最高２つのストリームのマルチレイヤＤＬ送信を用いて、最高８つの送信アンテナをサポートし得る。ＵＥごとに最高２つのストリームを用いるマルチレイヤ送信がサポートされ得る。複数のセルのアグリゲーションが、最高８つのサービングセルを用いてサポートされ得る。代替的に、ＮＲは、ＯＦＤＭベース以外の、異なるエアインターフェースをサポートし得る。ＮＲネットワークは、エンティティ、例えばＣＵおよび／またはＤＵを含み得る。
【００３０】
[0040]いくつかの例では、エアインターフェースへのアクセスがスケジュールされ得、ここにおいて、スケジューリングエンティティ（たとえば、基地局）は、それのサービスエリアまたはセル内の一部または全部のデバイスおよび機器の間の通信にリソースを割り振る。本開示内では、以下でさらに説明されるように、スケジューリングエンティティは、１つまたは複数の下位エンティティのためのリソースをスケジュールし、割り当て、再構成し、解放することを担当し得る。すなわち、スケジュールされた通信について、下位エンティティは、スケジューリングエンティティによって割り振られたリソースを利用する。基地局は、スケジューリングエンティティとして機能し得る唯一のエンティティではない。すなわち、いくつかの例では、ＵＥは、１つまたは複数の下位エンティティ（たとえば、１つまたは複数の他のＵＥ）のためのスケジューリングエンティティ、スケジューリングリソースとして機能し得る。この例では、ＵＥは、スケジューリングエンティティとして機能しており、他のＵＥは、ワイヤレス通信のためにＵＥによってスケジュールされたリソースを利用する。ＵＥは、ピアツーピア（Ｐ２Ｐ）ネットワークにおいて、および／またはメッシュネットワークにおいてスケジューリングエンティティとして機能し得る。メッシュネットワーク例では、ＵＥは、スケジューリングエンティティと通信することに加えて、随意に、互いと直接通信し得る。
【００３１】
[0041]したがって、時間周波数リソースへのスケジュールされたアクセスを用いた、セルラー構成、Ｐ２Ｐ構成、およびメッシュ構成を有するワイヤレス通信ネットワークでは、スケジューリングエンティティおよび１つまたは複数の下位エンティティは、スケジュールされたリソースを利用して通信し得る。
【００３２】
[0042]上述のように、ＲＡＮはＣＵおよびＤＵを含み得る。ＮＲ  ＢＳ（たとえば、ｇＮＢ、５ＧノードＢ、ノードＢ、送信受信ポイント（ＴＲＰ）、アクセスポイント（ＡＰ））は、１つまたは複数のＢＳに対応し得る。ＮＲセルは、アクセスセル（ＡＣｅｌｌ）またはデータオンリーセル（ＤＣｅｌｌ）として構成され得る。たとえば、ＲＡＮ（たとえば、中央ユニットまたは分散型ユニット）がセルを構成し得る。ＤＣｅｌｌは、キャリアアグリゲーションまたはデュアル接続性のために使用されるが、初期アクセス、セル選択／再選択、またはハンドオーバのために使用されないセルであり得る。いくつかの場合には、ＤＣｅｌｌは同期信号を送信しないことがあり、いくつかの場合には、ＤＣｅｌｌはＳＳを送信することがある。ＮＲ  ＢＳは、セルタイプを示すダウンリンク信号をＵＥに送信し得る。セルタイプ指示に基づいて、ＵＥは、ＮＲ  ＢＳと通信し得る。たとえば、ＵＥは、示されたセルタイプに基づくセル選択、アクセス、ハンドオーバ、および／または測定のために考慮すべきＮＲ  ＢＳを決定し得る。
【００３３】
[0043]図２は、図１に示されているワイヤレス通信システムにおいて実装され得る、分散型無線アクセスネットワーク（ＲＡＮ）２００の例示的な論理アーキテクチャを示す。５Ｇアクセスノード２０６は、アクセスノードコントローラ（ＡＮＣ）２０２を含み得る。ＡＮＣは、分散型ＲＡＮ２００の中央ユニット（ＣＵ）であり得る。次世代コアネットワーク（ＮＧ−ＣＮ）２０４へのバックホールインターフェースは、ＡＮＣにおいて終端し得る。ネイバリング次世代アクセスノード（ＮＧ−ＡＮ）へのバックホールインターフェースは、ＡＮＣにおいて終端し得る。ＡＮＣは、（ＢＳ、ＮＲ  ＢＳ、ノードＢ、５Ｇ  ＮＢ、ＡＰ、または何らかの他の用語で呼ばれることもある）１つまたは複数のＴＲＰ２０８を含み得る。上記で説明されたように、ＴＲＰは、「セル」と互換的に使用され得る。
【００３４】
[0044]ＴＲＰ２０８はＤＵであり得る。ＴＲＰは、１つのＡＮＣ（ＡＮＣ２０２）または（示されていない）２つ以上のＡＮＣに接続され得る。たとえば、ＲＡＮ共有、サービスとしての無線（ＲａａＳ：radio as a service）、およびサービス固有ＡＮＣ配置の場合、ＴＲＰは２つ以上のＡＮＣに接続され得る。ＴＲＰは１つまたは複数のアンテナポートを含み得る。ＴＲＰは、ＵＥにトラフィックを、個々にサービスする（たとえば、動的選択）か、または一緒にサービスする（たとえば、ジョイント送信）ように構成され得る。
【００３５】
[0045]ローカルアーキテクチャ２００は、フロントホール定義を示すために使用され得る。異なる展開タイプにわたってフロントホーリングソリューションをサポートするアーキテクチャが定義され得る。たとえば、アーキテクチャは、送信ネットワーク能力（たとえば、帯域幅、レイテンシ、および／またはジッタ）に基づき得る。
【００３６】
[0046]アーキテクチャは、ＬＴＥと特徴および／または構成要素を共有し得る。態様によれば、次世代ＡＮ（ＮＧ−ＡＮ）２１０は、ＮＲとのデュアル接続性をサポートし得る。ＮＧ−ＡＮは、ＬＴＥおよびＮＲについて共通フロントホールを共有し得る。
【００３７】
[0047]アーキテクチャは、ＴＲＰ２０８間の協働を可能にし得る。たとえば、協働は、ＡＮＣ２０２を介してＴＲＰ内でおよび／またはＴＲＰにわたってプリセットされ得る。態様によれば、ＴＲＰ間インターフェースは、必要とされない／存在しないことがある。
【００３８】
[0048]態様によれば、分割された論理機能の動的構成が、アーキテクチャ２００内に存在し得る。図５を参照しながらより詳細に説明されるように、無線リソース制御（ＲＲＣ）レイヤ、パケットデータコンバージェンスプロトコル（ＰＤＣＰ）レイヤ、無線リンク制御（ＲＬＣ）レイヤ、媒体アクセス制御（ＭＡＣ）レイヤ、および物理（ＰＨＹ）レイヤが、ＤＵまたはＣＵ（たとえば、それぞれＴＲＰまたはＡＮＣ）に適応的に配置され得る。いくつかの態様によれば、ＢＳは、中央ユニット（ＣＵ）（たとえば、ＡＮＣ２０２）および／または１つもしくは複数の分散型ユニット（たとえば、１つまたは複数のＴＲＰ２０８）を含み得る。
【００３９】
[0049]図３は、本開示の態様による、分散型ＲＡＮ３００の例示的な物理アーキテクチャを示す。集中型コアネットワークユニット（Ｃ−ＣＵ）３０２は、コアネットワーク機能をホストし得る。Ｃ−ＣＵは中央に展開され得る。Ｃ−ＣＵ機能性は、ピーク容量を扱おうとして、（たとえば、高度ワイヤレスサービス（ＡＷＳ）に）オフロードされ得る。
【００４０】
[0050]集中型ＲＡＮユニット（Ｃ−ＲＵ）３０４は、１つまたは複数のＡＮＣ機能をホストし得る。随意に、Ｃ−ＲＵは、ローカルにコアネットワーク機能をホストし得る。Ｃ−ＲＵは分散型展開を有し得る。Ｃ−ＲＵはネットワークエッジにより近いことがある。
【００４１】
[0051]ＤＵ３０６は、１つまたは複数のＴＲＰ（エッジノード（ＥＮ）、エッジユニット（ＥＵ）、無線ヘッド（ＲＨ）、スマート無線ヘッド（ＳＲＨ）など）をホストし得る。ＤＵは、無線周波数（ＲＦ）機能性をもつネットワークのエッジに位置し得る。
【００４２】
[0052]図４は、本開示の態様を実装するために使用され得る、図１に示されているＢＳ１１０およびＵＥ１２０の例示的な構成要素を示す。上記で説明されたように、ＢＳはＴＲＰを含み得る。ＢＳ１１０およびＵＥ１２０の１つまたは複数の構成要素は、本開示の態様を実施するために使用され得る。たとえば、ＵＥ１２０のアンテナ４５２、Ｔｘ／Ｒｘ２２２、プロセッサ４６６、４５８、４６４、および／もしくはコントローラ／プロセッサ４８０ならびに／またはＢＳ１１０のアンテナ４３４、プロセッサ４６０、４２０、４３８、および／もしくはコントローラ／プロセッサ４４０が、本明細書で説明され、図９を参照しながら示される動作を実施するために使用され得る。
【００４３】
[0053]態様によれば、制限付き関連付けシナリオの場合、基地局１１０は図１中のマクロＢＳ１１０ｃであり得、ＵＥ１２０はＵＥ１２０ｙであり得る。基地局１１０はまた、何らかの他のタイプの基地局であり得る。基地局１１０はアンテナ４３４ａ〜４３４ｔを装備し得、ＵＥ１２０はアンテナ４５２ａ〜４５２ｒを装備し得る。
【００４４】
[0054]基地局１１０において、送信プロセッサ４２０は、データソース４１２からデータを受信し、コントローラ／プロセッサ４４０から制御情報を受信し得る。制御情報は、物理ブロードキャストチャネル（ＰＢＣＨ）、物理制御フォーマットインジケータチャネル（ＰＣＦＩＣＨ）、物理ハイブリッドＡＲＱインジケータチャネル（ＰＨＩＣＨ）、物理ダウンリンク制御チャネル（ＰＤＣＣＨ）などのためのものであり得る。データは物理ダウンリンク共有チャネル（ＰＤＳＣＨ）などのためのものであり得る。プロセッサ４２０は、データシンボルおよび制御シンボルを取得するために、それぞれデータおよび制御情報を処理（たとえば、符号化およびシンボルマッピング）し得る。プロセッサ４２０はまた、たとえば、ＰＳＳ、ＳＳＳ、およびセル固有基準信号のための基準シンボルを生成し得る。送信（ＴＸ）多入力多出力（ＭＩＭＯ）プロセッサ４３０が、適用可能な場合、データシンボル、制御シンボル、および／または基準シンボルに対して空間処理（たとえば、プリコーディング）を実施し得、出力シンボルストリームを変調器（ＭＯＤ）４３２ａ〜４３２ｔに与え得る。各変調器４３２は、出力サンプルストリームを取得するために、（たとえば、ＯＦＤＭなどのための）それぞれの出力シンボルストリームを処理し得る。各変調器４３２は、さらに、ダウンリンク信号を取得するために、出力サンプルストリームを処理（たとえば、アナログへの変換、増幅、フィルタ処理、およびアップコンバート）し得る。変調器４３２ａ〜４３２ｔからのダウンリンク信号は、それぞれアンテナ４３４ａ〜４３４ｔを介して送信され得る。
【００４５】
[0055]ＵＥ１２０において、アンテナ４５２ａ〜４５２ｒは、基地局１１０からダウンリンク信号を受信し得、受信信号をそれぞれ復調器（ＤＥＭＯＤ）４５４ａ〜４５４ｒに与え得る。各復調器４５４は、入力サンプルを取得するために、それぞれの受信信号を調整（たとえば、フィルタ処理、増幅、ダウンコンバート、およびデジタル化）し得る。各復調器４５４は、さらに、受信シンボルを取得するために、（たとえば、ＯＦＤＭなどのための）入力サンプルを処理し得る。ＭＩＭＯ検出器４５６は、すべての復調器４５４ａ〜４５４ｒから受信シンボルを取得し、適用可能な場合は受信シンボルに対してＭＩＭＯ検出を実施し、検出されたシンボルを与え得る。受信プロセッサ４５８は、検出シンボルを処理（たとえば、復調、デインターリーブ、および復号）し、ＵＥ１２０の復号されたデータをデータシンク４６０に与え、復号された制御情報をコントローラ／プロセッサ４８０に与え得る。
【００４６】
[0056]アップリンク上では、ＵＥ１２０において、送信プロセッサ４６４が、データソース４６２から（たとえば、物理アップリンク共有チャネル（ＰＵＳＣＨ）のための）データを受信し、処理し得、コントローラ／プロセッサ４８０から（たとえば、物理アップリンク制御チャネル（ＰＵＣＣＨ）のための）制御情報を受信し、処理し得る。送信プロセッサ４６４はまた、基準信号のための基準シンボルを生成し得る。送信プロセッサ４６４からのシンボルは、適用可能な場合はＴＸ  ＭＩＭＯプロセッサ４６６によってプリコーディングされ、さらに（たとえば、ＳＣ−ＦＤＭなどのために）復調器４５４ａ〜４５４ｒによって処理され、基地局１１０に送信され得る。ＢＳ１１０において、ＵＥ１２０からのアップリンク信号は、アンテナ４３４によって受信され、変調器４３２によって処理され、適用可能な場合はＭＩＭＯ検出器４３６によって検出され、さらに受信プロセッサ４３８によって処理されて、ＵＥ１２０によって送られた復号されたデータおよび制御情報が取得され得る。受信プロセッサ４３８は、復号されたデータをデータシンク４３９に与え、復号された制御情報をコントローラ／プロセッサ４４０に与え得る。
【００４７】
[0057]コントローラ／プロセッサ４４０および４８０は、それぞれ基地局１１０およびＵＥ１２０における動作を指示し得る。基地局１１０におけるプロセッサ４４０および／または他のプロセッサとモジュールとは、たとえば、図６に示されている機能ブロック、および／または本明細書で説明される技法のための他のプロセスの実行を実施または指示し得る。また、ＵＥ１２０におけるプロセッサ４８０および／または他のプロセッサとモジュールとは、たとえば、図７に示されている機能ブロック、および／または本明細書で説明される技法のための他のプロセスの実行を実施または指示し得る。メモリ４４２および４８２は、それぞれＢＳ１１０およびＵＥ１２０のためのデータおよびプログラムコードを記憶し得る。スケジューラ４４４は、ダウンリンクおよび／またはアップリンク上でのデータ送信のためにＵＥをスケジュールし得る。
【００４８】
[0058]図５は、本開示の態様による、通信プロトコルスタックを実装するための例を示す図５００を示す。示されている通信プロトコルスタックは、５Ｇシステム（たとえば、アップリンクベースのモビリティをサポートするシステム）において動作するデバイスによって実装され得る。図５００は、無線リソース制御（ＲＲＣ）レイヤ５１０、パケットデータコンバージェンスプロトコル（ＰＤＣＰ）レイヤ５１５、無線リンク制御（ＲＬＣ）レイヤ５２０、媒体アクセス制御（ＭＡＣ）レイヤ５２５、および物理（ＰＨＹ）レイヤ５３０を含む通信プロトコルスタックを示す。様々な例では、プロトコルスタックのレイヤは、ソフトウェアの別個のモジュール、プロセッサもしくはＡＳＩＣの部分、通信リンクによって接続されたコロケートされていないデバイスの部分、またはそれらの様々な組合せとして実装され得る。コロケートされた実装形態およびコロケートされていない実装形態は、たとえば、ネットワークアクセスデバイス（たとえば、ＡＮ、ＣＵ、および／またはＤＵ）またはＵＥのためのプロトコルスタックにおいて使用され得る。
【００４９】
[0059]第１のオプション５０５−ａは、プロトコルスタックの実装が、集中型ネットワークアクセスデバイス（たとえば、図２中のＡＮＣ２０２）と分散型ネットワークアクセスデバイス（たとえば、図２中のＤＵ２０８）との間で分割された、プロトコルスタックの分割された実装形態を示す。第１のオプション５０５−ａでは、ＲＲＣレイヤ５１０およびＰＤＣＰレイヤ５１５は、中央ユニットによって実装され得、ＲＬＣレイヤ５２０、ＭＡＣレイヤ５２５、およびＰＨＹレイヤ５３０は、ＤＵによって実装され得る。様々な例では、ＣＵおよびＤＵは、コロケートされることもコロケートされないこともある。第１のオプション５０５−ａは、マクロセル、マイクロセル、またはピコセル展開において有用であり得る。
【００５０】
[0060]第２のオプション５０５−ｂは、プロトコルスタックが、単一のネットワークアクセスデバイス（たとえば、アクセスノード（ＡＮ）、新無線基地局（ＮＲ  ＢＳ）、新無線ノードＢ（ＮＲ  ＮＢ）、ネットワークノード（ＮＮ）など）において実装された、プロトコルスタックの統合された実装形態を示す。第２のオプションでは、ＲＲＣレイヤ５１０、ＰＤＣＰレイヤ５１５、ＲＬＣレイヤ５２０、ＭＡＣレイヤ５２５、およびＰＨＹレイヤ５３０は、各々ＡＮによって実装され得る。第２のオプション５０５−ｂは、フェムトセル展開において有用であり得る。
【００５１】
[0061]ネットワークアクセスデバイスが、プロトコルスタックの一部を実装するのか全部を実装するのかにかかわらず、ＵＥは、プロトコルスタック全体（たとえば、ＲＲＣレイヤ５１０、ＰＤＣＰレイヤ５１５、ＲＬＣレイヤ５２０、ＭＡＣレイヤ５２５、およびＰＨＹレイヤ５３０）を実装し得る。
【００５２】
[0062]図６は、図１からのワイヤレス通信システム内で採用され得るワイヤレス通信デバイス６０２において利用され得る様々な構成要素を示す。ワイヤレス通信デバイス６０２は、たとえば、ポーラコードのためのＭＬ復号の探索空間を低減するための、本明細書で説明される様々な方法を実装するように構成され得るデバイスの一例である。ワイヤレス通信デバイス６０２は、図１からのＢＳ１１０またはユーザ機器１２０のいずれかであり得る。
【００５３】
[0063]ワイヤレス通信デバイス６０２は、ワイヤレス通信デバイス６０２の動作を制御するプロセッサ６０４を含み得る。プロセッサ６０４は、中央処理ユニット（ＣＰＵ）と呼ばれることもある。読取り専用メモリ（ＲＯＭ）とランダムアクセスメモリ（ＲＡＭ）の両方を含み得るメモリ６０６は、命令とデータとをプロセッサ６０４に与える。メモリ６０６の一部分は、不揮発性ランダムアクセスメモリ（ＮＶＲＡＭ）をも含み得る。プロセッサ６０４は、一般的に、メモリ６０６内に記憶されたプログラム命令に基づいて論理演算と算術演算とを実施する。メモリ６０６中の命令は、本明細書で説明される方法を実装するために実行可能であり得る。
【００５４】
[0064]ワイヤレス通信デバイス６０２はまた、ワイヤレス通信デバイス６０２と遠隔ロケーションとの間のデータの送信および受信を可能にするために送信機６１０と受信機６１２とを含み得るハウジング６０８を含み得る。送信機６１０と受信機６１２とは組み合わせられてトランシーバ６１４になり得る。単一または複数の送信アンテナ６１６が、ハウジング６０８に取り付けられ、トランシーバ６１４に電気的に結合され得る。ワイヤレス通信デバイス６０２はまた、複数の送信機と、複数の受信機と、複数のトランシーバとを含み得る（図示せず）。
【００５５】
[0065]ワイヤレス通信デバイス６０２はまた、トランシーバ６１４によって受信された信号のレベルを検出し、定量化しようとして使用され得る信号検出器６１８を含み得る。信号検出器６１８は、そのような信号を、総エネルギー、シンボルごとのサブキャリア当たりのエネルギー、電力スペクトル密度および他の信号として検出し得る。ワイヤレス通信デバイス６０２はまた、信号を処理する際に使用するためのデジタル信号プロセッサ（ＤＳＰ）６２０を含み得る。
【００５６】
[0066]加えて、ワイヤレス通信デバイス６０２はまた、送信のための信号を符号化する際に使用するためのエンコーダ６２２を含み得る。たとえば、いくつかの場合には、エンコーダ６２２は、情報ストリームのロケーションに第１の１つまたは複数のビットを分配する／割り当てるように構成され得、ここにおいて、第１の１つまたは複数のビットは、情報ストリームにおける１つまたは複数の第２のビットのビット値または情報ストリームのサイズのうちの少なくとも１つを示す。
【００５７】
[0067]さらに、ワイヤレス通信デバイス６０２は、本明細書で提示される技法を使用して符号化された受信された信号を復号する際に使用するためのデコーダ６２４を含み得る。たとえば、いくつかの場合には、デコーダ６２４は、コードワードの第１の部分を復号するように構成され得、ここにおいて、コードワードの第１の部分は、第１の１つまたは複数のビットが割り当てられる情報ストリームにおけるロケーションに対応し、ここにおいて、第１の１つまたは複数のビットは、情報ストリームにおける１つまたは複数の第２のビットのビット値または情報ストリームのサイズのうちの少なくとも１つを示し、第１の１つまたは複数のビットに少なくとも部分的に基づいて１つまたは複数の第２のビットのビット値を決定し、１つまたは複数の第２のビットの決定されたビット値に基づいてコードワードの残りの部分を復号する。
【００５８】
[0068]ワイヤレス通信デバイス６０２の様々な構成要素は、データバスに加えて、電力バスと、制御信号バスと、ステータス信号バスとを含み得るバスシステム６２６によって互いに結合され得る。プロセッサ６０４は、以下で説明される本開示の態様に従って、接続なしアクセスを実施するために、メモリ６０６に記憶された命令にアクセスするように構成され得る。
【００５９】
[0069]図７は、ワイヤレスネットワーク１００において通信するために１つまたは複数のデバイス（たとえば、ＢＳ１１０および／またはＵＥ１２０）によって使用され得るＤＬセントリックサブフレームの一例を示す図７００である。ＤＬセントリックサブフレームは制御部分７０２を含み得る。制御部分７０２は、ＤＬセントリックサブフレームの初期または開始部分中に存在し得る。制御部分７０２は、ＤＬセントリックサブフレームの様々な部分に対応する様々なスケジューリング情報および／または制御情報を含み得る。いくつかの構成では、制御部分７０２は、図７に示されているように、物理ＤＬ制御チャネル（ＰＤＣＣＨ）であり得る。ＤＬセントリックサブフレームは、ＤＬデータ部分７０４をも含み得る。ＤＬデータ部分７０４は、時々、ＤＬセントリックサブフレームのペイロードと呼ばれることがある。ＤＬデータ部分７０４は、スケジューリングエンティティ（たとえば、ＵＥまたはＢＳ）から下位エンティティ（たとえば、ＵＥ）にＤＬデータを通信するために利用される通信リソースを含み得る。いくつかの構成では、ＤＬデータ部分７０４は、物理ＤＬ共有チャネル（ＰＤＳＣＨ）であり得る。
【００６０】
[0070]ＤＬセントリックサブフレームは、共通ＵＬ部分７０６をも含み得る。共通ＵＬ部分７０６は、時々、ＵＬバースト、共通ＵＬバースト、および／または様々な他の好適な用語で呼ばれることがある。共通ＵＬ部分７０６は、ＤＬセントリックサブフレームの様々な他の部分に対応するフィードバック情報を含み得る。たとえば、共通ＵＬ部分７０６は、制御部分７０２に対応するフィードバック情報を含み得る。フィードバック情報の非限定的な例は、ＡＣＫ信号、ＮＡＣＫ信号、ＨＡＲＱインジケータ、および／または様々な他の好適なタイプの情報を含み得る。共通ＵＬ部分７０６は、ランダムアクセスチャネル（ＲＡＣＨ）プロシージャに関係する情報、スケジューリング要求（ＳＲ）、および様々な他の好適なタイプの情報など、追加または代替の情報を含み得る。図７に示されているように、ＤＬデータ部分７０４の終端は、共通ＵＬ部分７０６の始端から時間的に分離され得る。この時間分離は、時々、ギャップ、ガード期間、ガードインターバル、および／または様々な他の好適な用語で呼ばれることがある。この分離は、ＤＬ通信（たとえば、下位エンティティ（たとえば、ＵＥ）による受信動作）からＵＬ通信（たとえば、下位エンティティ（たとえば、ＵＥ）による送信）へのスイッチオーバーのための時間を与える。当業者は、上記が、ＤＬセントリックサブフレームの一例にすぎず、同様の特徴を有する代替構造が、本明細書で説明される態様から必ずしも逸脱することなしに存在し得ることを理解するであろう。
【００６１】
[0071]図８は、ワイヤレスネットワーク１００において通信するために１つまたは複数のデバイス（たとえば、ＢＳ１１０および／またはＵＥ１２０）によって使用され得るＵＬセントリックサブフレームの一例を示す図８００である。ＵＬセントリックサブフレームは制御部分８０２を含み得る。制御部分８０２は、ＵＬセントリックサブフレームの初期または開始部分中に存在し得る。図８中の制御部分８０２は、図７を参照しながら上記で説明された制御部分と同様であり得る。ＵＬセントリックサブフレームは、ＵＬデータ部分８０４をも含み得る。ＵＬデータ部分８０４は、時々、ＵＬセントリックサブフレームのペイロードと呼ばれることがある。ＵＬ部分は、下位エンティティ（たとえば、ＵＥ）からスケジューリングエンティティ（たとえば、ＵＥまたはＢＳ）にＵＬデータを通信するために利用される通信リソースを指し得る。いくつかの構成では、制御部分８０２は、物理ＤＬ制御チャネル（ＰＤＣＣＨ）であり得る。
【００６２】
[0072]図８に示されているように、制御部分８０２の終端は、ＵＬデータ部分８０４の始端から時間的に分離され得る。この時間分離は、時々、ギャップ、ガード期間、ガードインターバル、および／または様々な他の好適な用語で呼ばれることがある。この分離は、ＤＬ通信（たとえば、スケジューリングエンティティによる受信動作）からＵＬ通信（たとえば、スケジューリングエンティティによる送信）へのスイッチオーバーのための時間を与える。ＵＬセントリックサブフレームは、共通ＵＬ部分８０６をも含み得る。図８中の共通ＵＬ部分８０６は、図７を参照しながら上記で説明された共通ＵＬ部分７０６と同様であり得る。共通ＵＬ部分８０６は、追加または代替の、チャネル品質インジケータ（ＣＱＩ）に関係する情報、サウンディング基準信号（ＳＲＳ）、および様々な他の好適なタイプの情報を含み得る。当業者は、上記が、ＵＬセントリックサブフレームの一例にすぎず、同様の特徴を有する代替構造が、本明細書で説明される態様から必ずしも逸脱することなしに存在し得ることを理解するであろう。
【００６３】
[0073]いくつかの状況では、２つまたはそれ以上の下位エンティティ（たとえば、ＵＥ）が、サイドリンク信号を使用して互いと通信し得る。そのようなサイドリンク通信の現実世界の適用例は、公共安全、近接サービス、ＵＥネットワーク間中継、車両間（Ｖ２Ｖ）通信、あらゆるモノのインターネット（ＩｏＥ）通信、ＩｏＴ通信、ミッションクリティカルなメッシュ、および／または様々な他の好適な適用例を含み得る。概して、サイドリンク信号は、スケジューリングエンティティ（たとえば、ＵＥまたはＢＳ）が、スケジューリングおよび／または制御目的のために利用され得るが、スケジューリングエンティティを通してその通信を中継することなしに、ある下位エンティティ（たとえば、ＵＥ１）から別の下位エンティティ（たとえば、ＵＥ２）に通信される信号を指し得る。いくつかの例では、サイドリンク信号は、（一般的に、無認可スペクトルを使用するワイヤレスローカルエリアネットワークとは異なり）認可スペクトルを使用して通信され得る。
【００６４】
[0074]ＵＥは、リソースの専用セットを使用してパイロットを送信することに関連する構成（たとえば、無線リソース制御（ＲＲＣ）専用状態など）、またはリソースの共通セットを使用してパイロットを送信することに関連する構成（たとえば、ＲＲＣ共通状態など）を含む、様々な無線リソース構成において動作し得る。ＲＲＣ専用状態において動作するとき、ＵＥは、ネットワークにパイロット信号を送信するためのリソースの専用セットを選択し得る。ＲＲＣ共通状態において動作するとき、ＵＥは、ネットワークにパイロット信号を送信するためのリソースの共通セットを選択し得る。いずれの場合も、ＵＥによって送信されたパイロット信号は、ＡＮ、もしくはＤＵ、またはそれらの部分など、１つまたは複数のネットワークアクセスデバイスによって受信され得る。各受信ネットワークアクセスデバイスは、リソースの共通セット上で送信されたパイロット信号を受信および測定し、また、ネットワークアクセスデバイスが、それについて、ＵＥのためのネットワークアクセスデバイスの監視セットのメンバーであるＵＥに割り振られたリソースの専用セット上で送信されたパイロット信号を受信および測定するように構成され得る。受信ネットワークアクセスデバイスのうちの１つもしくは複数、または受信ネットワークアクセスデバイスが、パイロット信号の測定値をそれに送信するＣＵは、ＵＥのためのサービングセルを識別するために、またはＵＥのうちの１つまたは複数のためのサービングセルの変更を開始するために、測定値を使用し得る。
【００６５】
[0075]５Ｇ新無線（ＮＲ）では、非周期チャネル状態情報（ＣＳＩ）報告は、基地局からユーザ機器に送信されたＣＳＩ報告トリガによってトリガされる。ＣＳＩ報告トリガは、ＣＳＩ報告を実施するためのタイミングおよび割り振られたリソースをＵＥに示す。いくつかの場合には、ＣＳＩ報告が、物理アップリンク共有チャネル（ＰＵＳＣＨ）を介してＵＥによって送信されるとき、ＣＳＩ報告トリガは、どのリソースがＣＳＩ報告を実施するために使用されるかにＵＥがそれから気づくリソース割振り（ＲＡ）情報を含んでいるアップリンク（ＵＬ）グラントを介して送られ得る。態様によれば、ＣＳＩ報告は、ＣＳＩ基準信号チャネルインジケータ（ＣＲＩ）と、ランクインジケータ（ＲＩ）と、チャネル品質情報（ＣＱＩ）と、プリコーディング行列インジケータ（ＰＭＩ）とを含み得る。ＰＭＩは、さらに、広帯域ＰＭＩ（ＷＢ  ＰＭＩ）またはサブバンドＰＭＩ（ＳＢ  ＰＭＩ）にカテゴリー分類され得る。タイプＩＩ線形結合コードブックの場合、ＷＢ  ＰＭＩは、回転指示と、ビーム指示と、広帯域振幅指示と、最強ビーム指示とを含み、ＳＢ  ＰＭＩは、サブバンド振幅インジケータとサブバンド位相インジケータとを含む。
【００６６】
[0076]いくつかの場合には、ＣＲＩ、ＲＩおよびＣＱＩのペイロードサイズは固定され、ＰＭＩ（特にサブバンドＰＭＩ）ペイロードサイズは、報告されたＲＩに応じて変動し得る。この態様から、ＣＳＩ報告は、２つまたは３つの部分に分割され得、ここで、ＣＳＩフィードバックの第１の部分は、それのペイロードが固定されたＣＲＩ／ＲＩ／ＣＱＩを含んでおり、ＣＳＩフィードバックの第２の部分および第３の部分は、それのペイロードサイズが第１の部分に依存するＰＭＩを含んでいる（および、ここで、第３の部分は第２の部分にも依存し得る。）。以下の表１は、いつＣＳＩフィードバックが２つまたは３つの部分に区分され得るかと、各部分において搬送される情報との異なるシナリオを示す。
【００６７】
【表１】
2020536439.tif 000003
【００６８】
タイプＩＩ  ＣＳＩのための例示的なサブバンドＣＳＩ省略
[0077]上記で説明された２部ＣＳＩ報告方式において、いくつかのパラメータは、ＣＳＩ報告に含まれることがあるかまたは含まれないことがある（省略されることがある）。上記で説明されたように、２部方式の第１の部分は、ＲＩ、ＣＱＩおよびレイヤごとの非ゼロ広帯域振幅（ＮＺＷＡ）係数の数の指示を含んでいることがある。したがって、固定されたペイロードサイズが第１の部分のために使用され得るが、残りのＣＳＩを含んでいる第２の部分のペイロードサイズは変動し得る。
【００６９】
[0078]ＵＬ−ＳＣＨ（データ）をも搬送するＰＵＳＣＨ上で搬送されるＣＳＩ報告の別々に符号化された部分は、異なる送信優先度を有し得る。たとえば、（部分２における情報ビットの数を識別するために使用される）第１の部分は、第２の部分よりも高い優先度を有し得る。したがって、第１の部分は、部分２の前にその全体が送信に含まれ得る。いくつかの場合には、部分２の情報ビットおよび／またはチャネルコード化ビットのみが、部分的に送信され得る。たとえば、部分２のためのいくつかのサブバンドに対応するＣＳＩパラメータが省略され得る。
【００７０】
[0079]本開示の態様は、いくつのサブバンドが（第２の部分において）報告されるべきであるか、ならびにどのサブバンドが省略されるべきであるかを決定するための技法を提供する。
【００７１】
[0080]図９は、ワイヤレス通信のための例示的な動作９００を示す。動作９００は、たとえば、本開示のいくつかの態様による、チャネル状態情報報告のためにＵＥによって実施され得る。同様の動作が、たとえば、ＵＥからのＣＳＩ報告を処理するために使用されるパケットサイズおよび符号化を決定するために、基地局（たとえば、ｇＮＢ）側において実施され得る。
動作９００は、９０２において、２部チャネル状態情報（ＣＳＩ）報告方式において、第２のＣＳＩフィードバック部分においてＣＳＩをフィードバックするために使用すべきＮ個のサブバンドのうちの第１の数Ｍを決定することよって開始し、ここにおいて、Ｎは、サブバンドプリコーディング行列インジケータ（ＰＭＩ）報告のためのサポートされるサブバンドの構成された数を表す。
９０４において、ＵＥは、ランクインジケータ（ＲＩ）とレイヤごとの非ゼロ広帯域振幅（ＮＺＷＡ）とに基づいて、Ｎ個のサブバンドのうちのいずれをＭ個のサブバンドから省略すべきかを決定する。９０６において、ＵＥは、第２のＣＳＩフィードバック部分においてＭ個のサブバンドのためのＣＳＩフィードバックを報告する。
【００７２】
[0081]言い換えれば、（部分２のための）第２のパケットペイロードサイズは、ＲＩとレイヤごとの非ゼロ広帯域振幅（ｉ番目のレイヤの場合、ＮＡＺiと呼ばれる）とに依存するので、ＲＩとＮＡＺiの両方は、どのサブバンドを省略のために選択すべきかを決定するための入力と見なされ得る。
【００７３】
[0082]いくつのサブバンドをフィードバックすべきかを決定した後に（報告すべきサブバンドの数は、Ｍ個のサブバンドと呼ばれる）、フィードバックされるべき実際のサブバンドインデックスが、決定される必要があり得る。いくつかの場合には、省略されるべきサブバンドインデックスが、（第１の部分を搬送する）第１のパケットにおけるＣＱＩ情報に基づいて決定され得る。
【００７４】
[0083]いくつかの場合には、サブバンドの数Ｍは、マッピングルールまたはテーブルに基づいて、ＲＩとレイヤごとの非ゼロ広帯域振幅とに基づいて決定され得る。たとえば、図１０は、ＲＩとＮＺＷＡとに基づいてＭを決定するためにＵＥによって使用され得る（たとえば、Ｌ＝４線形結合ビームのための）例示的なマッピングテーブルを示す。この例では、ＮＺＷＡは、レイヤごとの非ゼロ広帯域振幅の和を表す。たとえば、第１のレイヤ非ゼロ振幅が２であり、第２のレイヤ非ゼロ振幅が３である場合、ＮＺＷＡは５（２＋３）になる。（たとえば、テーブルから）決定されたＭが与えられれば、Ｍ個のサブバンドＰＭＩが、第２のパケットに含まれることになる。マッピングテーブルは、あらかじめ定義されるか、または基地局構成可能であり得る。
【００７５】
[0084]マッピングテーブルの代わりに、マッピングルールが使用され得る。たとえば、ＮＺＷＡとＲＩとに基づくマッピングルールは、以下の通りであり得、
【００７６】
【数１】
2020536439.tif 000004
【００７７】
ここにおいて、αは、リソース割振りに関係するパラメータに基づき得る。
【００７８】
[0085]いくつかの場合には、Ｍは、タイプＩＩサブバンドペイロードが、ＣＳＩ報告において搬送され得ることを保証するように選ばれ得る。たとえば、
【００７９】
【数２】
2020536439.tif 000005
とすれば、広帯域ＰＭＩペイロードサイズＱ1,vは、すべてのｉ1ビットを含むことになる。サブバンドごとのＰＭＩペイロードＱ2,vは、すべてのｉ2ビットを含み得る。いくつかの場合には、基地局は、サブバンドサイズＫを構成し得る。第２のパケットの最大のサポートされるペイロードサイズＱmaxは、たとえば、タイプＩＩ  ＣＳＩのためのリソース割振り（ＲＡ）（たとえば、第１のパケットと第２のパケットとの間でのリソース割振り）に基づいて導出され得る。
【００８０】
[0086]いくつかの場合には、サブバンドごとのペイロードサイズＱ2,vは、ＲＩとＮＡＺiとに基づいて決定され得る。Ｍは、たとえば、
【００８１】
【数３】
2020536439.tif 000006
という制約を伴って選択され得る。
この制約は、Ｍ個のサブバンドの最大のサポートされる数がフィードバックされることを保証するのを助け得る。
【００８２】
[0087]Ｍから省略するかまたはＭに含めるべき実際のサブバンドが、様々な要因に基づいて決定され得る。たとえば、省略されるサブバンドは、デシメーション比および／またはサブバンドＣＳＩを順序付けるために使用される優先度パターンに基づいて決定され得る（これは、仕様において定義され得る）。いくつかの場合には、省略されるサブバンドは、（第１のパケットにおける）部分１に含まれる測定されたサブバンドＣＱＩに基づいて決定され得る。
【００８３】
[0088]言い換えれば、（Ｍ個のサブバンドの）実際のサブバンドインデックスは、第１のパケットにおけるＣＱＩに従って選択され得る。たとえば、いくつかの場合には、Ｎ個の連続するサブバンド内の２つのサブバンドが、サブバンドＰＭＩフィードバックのために選択され得る。２つのサブバンドは、Ｎ個のサブバンドにおける最良のＣＱＩに関連する１つのサブバンドを含み得、他のサブバンドは、Ｎ個のサブバンドにおける最悪のＣＱＩに関連し得る。Ｍが奇数である場合、（最良のまたは最悪のＣＱＩに関連しない）１つのサブバンドが、第Ｎ＊（Ｍ−１）／２＋１〜Ｋのサブバンドから選択され得る。いくつかの場合には、連続するサブバンドの数Ｎが、少なくともＫとＭとに基づいて決定され得る。いくつかの場合には、セグメント化されたサブバンドの数は、
【００８４】
【数４】
2020536439.tif 000007
のように選択され得る。
【００８５】
[0089]いくつかの場合には、サブバンドのうちの最良ＣＱＩ関連サブバンドに対応するサブバンドが、間引きパターンによって選択され得る。たとえば、フィードバックのためのＭ個の選択されたサブバンドの場合、間引きパターンが、フィードバックサブバンド（Ｍ１）をすでに定義していることがあるとすれば、Ｍ２＝Ｍ−Ｍ１個のサブバンドが、デシメーション選択されたビームのうちの最良ＣＱＩ関連サブバンドから選択され得る。
【００８６】
[0090]たとえば、図１１に示されているように、合計Ｎ個の構成されたサブバンドの場合、１／２間引きパターンが、Ｍ＝Ｎ／２のときに使用され得る。Ｍ＞Ｎ／２の場合、選択されなかったサブバンドにおいて最良のＣＱＩを有するＭ−Ｎ／２個のサブバンドが、部分２ＰＭＩフィードバックに含まれ得る。図１１に示されているように、これは、（間引きパターンに基づいて選択されたサブバンドに加えて）追加の２つのサブバンドが選択されることを生じる。図示のように、１／２間引きパターンは、１つおきのサブバンドの包含／省略を生じ得る。言い換えれば、いくつかの場合には、サブバンド省略は、広帯域部分が送信されることを保証しようとして、タイプＩＩフィードバックのために偶数サブバンドまたは奇数サブバンドのみを含めるように実施され得る。
【００８７】
[0091]上記で説明された技法は、長または短物理アップリンク制御チャネル（ＰＵＣＣＨ）あるいは物理アップリンク共有チャネル（ＰＵＳＣＨ）の両方の上でのＣＳＩ報告に等しく適用され得ることに留意されたい。さらに、上記で説明された技法はまた、非周期的、半永続的、または周期的ＣＳＩ報告のいずれかに等しく適用され得る。
【００８８】
[0092]明細書で使用される、項目のリスト「のうちの少なくとも１つ」を指す句は、単一のメンバーを含む、それらの項目の任意の組合せを指す。一例として、「ａ、ｂ、またはｃのうちの少なくとも１つ」は、ａ、ｂ、ｃ、ａ−ｂ、ａ−ｃ、ｂ−ｃ、およびａ−ｂ−ｃ、ならびに複数の同じ要素を用いた任意の組合せ（たとえば、ａ−ａ、ａ−ａ−ａ、ａ−ａ−ｂ、ａ−ａ−ｃ、ａ−ｂ−ｂ、ａ−ｃ−ｃ、ｂ−ｂ、ｂ−ｂ−ｂ、ｂ−ｂ−ｃ、ｃ−ｃ、およびｃ−ｃ−ｃ、またはａ、ｂ、およびｃの任意の他の順序）を包含するものとする。
【００８９】
[0093]本明細書で使用される「決定すること」という用語は、多種多様なアクションを包含する。たとえば、「決定すること」は、計算すること、算出すること、処理すること、導出すること、調査すること、探索すること（たとえば、テーブル、データベース、または別のデータ構造の中で探索すること）、確認することなどを含み得る。また、「決定すること」は、受信すること（たとえば、情報を受信すること）、アクセスすること（たとえば、メモリ中のデータにアクセスすること）などを含み得る。さらに、「決定すること」は、解決すること、選択すること、選ぶこと、確立することなどを含み得る。
【００９０】
[0094]いくつかの場合には、フレームを実際に送信するのではなく、デバイスは、送信のためにフレームを出力するためのインターフェースを有し得る。たとえば、プロセッサは、バスインターフェースを介して、送信のためにＲＦフロントエンドにフレームを出力し得る。同様に、フレームを実際に受信するのではなく、デバイスは、別のデバイスから受信されたフレームを取得するためのインターフェースを有し得る。たとえば、プロセッサは、バスインターフェースを介して、送信のためにＲＦフロントエンドからフレームを取得（または受信）し得る。
【００９１】
[0095]上記で説明された方法の様々な動作は、対応する機能を実施することが可能な任意の好適な手段によって実施され得る。それらの手段は、限定はしないが、回路、特定用途向け集積回路（ＡＳＩＣ）、またはプロセッサを含む、様々な（１つまたは複数の）ハードウェアおよび／またはソフトウェア構成要素および／またはモジュールを含み得る。概して、図に示されている動作がある場合、それらの動作は、同様の番号をもつ対応するカウンターパートのミーンズプラスファンクション構成要素を有し得る。たとえば、上記で説明された図９の動作９００は、図４のＵＥ１２０の、送信プロセッサ４６４、コントローラ／プロセッサ４８０、または受信プロセッサのうちの１つまたは複数によって実施され得る。
【００９２】
[0096]たとえば、送信するための手段、受信するための手段、決定するための手段、実施するための手段、および／または再送信するための手段は、ＢＳ１１０における送信プロセッサ４２０、コントローラ／プロセッサ４４０、受信プロセッサ４３８、またはアンテナ４３４および／あるいはＵＥ１２０における送信プロセッサ４６４、コントローラ／プロセッサ４８０、受信プロセッサ４５８、またはアンテナ４５２など、ＢＳ１１０またはＵＥ１２０における１つまたは複数のプロセッサまたはアンテナを備え得る。
【００９３】
[0097]本開示に関連して説明される様々な例示的な論理ブロック、モジュールおよび回路は、汎用プロセッサ、デジタル信号プロセッサ（ＤＳＰ）、特定用途向け集積回路（ＡＳＩＣ）、フィールドプログラマブルゲートアレイ（ＦＰＧＡ）もしくは他のプログラマブル論理デバイス（ＰＬＤ）、個別ゲートもしくはトランジスタ論理、個別ハードウェア構成要素、または本明細書で説明される機能を実施するように設計されたそれらの任意の組合せを用いて実装または実施され得る。汎用プロセッサはマイクロプロセッサであり得るが、代替として、プロセッサは、任意の市販のプロセッサ、コントローラ、マイクロコントローラ、または状態機械であり得る。プロセッサはまた、コンピューティングデバイスの組合せ、たとえば、ＤＳＰとマイクロプロセッサの組合せ、複数のマイクロプロセッサ、ＤＳＰコアと併用される１つもしくは複数のマイクロプロセッサ、または任意の他のそのような構成として実装され得る。
【００９４】
[0098]ハードウェアで実装される場合、例示的なハードウェア構成は、ワイヤレスノード中に処理システムを備え得る。処理システムは、バスアーキテクチャを用いて実装され得る。バスは、処理システムの特定の適用例および全体的な設計制約に応じて、任意の数の相互接続バスおよびブリッジを含み得る。バスは、プロセッサと、機械可読媒体と、バスインターフェースとを含む様々な回路を互いにリンクし得る。バスインターフェースは、ネットワークアダプタを、特に、バスを介して処理システムに接続するために使用され得る。ネットワークアダプタは、ＰＨＹレイヤの信号処理機能を実装するために使用され得る。ユーザ機器１２０（図１参照）の場合、ユーザインターフェース（たとえば、キーパッド、ディスプレイ、マウス、ジョイスティックなど）もバスに接続され得る。バスはまた、タイミングソース、周辺機器、電圧調整器、電力管理回路などの様々な他の回路をリンクし得るが、それらは当技術分野でよく知られており、したがってこれ以上説明されない。プロセッサは、１つまたは複数の汎用および／または専用プロセッサを用いて実装され得る。例は、マイクロプロセッサ、マイクロコントローラ、ＤＳＰプロセッサ、およびソフトウェアを実行することができる他の回路を含む。当業者は、特定の適用例と、全体的なシステムに課される全体的な設計制約とに応じて、どのようにしたら処理システムについて説明された機能性を最も良く実装し得るかを理解されよう。
【００９５】
[0099]ソフトウェアで実装される場合、機能は、１つもしくは複数の命令またはコードとしてコンピュータ可読媒体上に記憶されるか、あるいはコンピュータ可読媒体を介して送信され得る。ソフトウェアは、ソフトウェア、ファームウェア、ミドルウェア、マイクロコード、ハードウェア記述言語などの名称にかかわらず、命令、データ、またはそれらの任意の組合せを意味すると広く解釈されたい。コンピュータ可読媒体は、ある場所から別の場所へのコンピュータプログラムの転送を可能にする任意の媒体を含む、コンピュータ記憶媒体とコンピュータ通信媒体の両方を含む。プロセッサは、機械可読記憶媒体に記憶されたソフトウェアモジュールの実行を含む、バスおよび一般的な処理を管理することを担当し得る。コンピュータ可読記憶媒体は、プロセッサがその記憶媒体から情報を読み取ることができ、その記憶媒体に情報を書き込むことができるように、プロセッサに結合され得る。代替として、記憶媒体はプロセッサと一体であり得る。例として、機械可読媒体は、すべてがバスインターフェースを介してプロセッサによってアクセスされ得る、伝送線路、データによって変調された搬送波、および／またはワイヤレスノードとは別個のその上に記憶された命令をもつコンピュータ可読記憶媒体を含み得る。代替的に、または追加として、機械可読媒体またはその任意の部分は、キャッシュおよび／または汎用レジスタファイルがそうであり得るように、プロセッサに統合され得る。機械可読記憶媒体の例は、例として、ＲＡＭ（ランダムアクセスメモリ）、フラッシュメモリ、ＲＯＭ（読取り専用メモリ）、ＰＲＯＭ（プログラマブル読取り専用メモリ）、ＥＰＲＯＭ（消去可能プログラマブル読取り専用メモリ）、ＥＥＰＲＯＭ（登録商標）（電気消去可能プログラマブル読取り専用メモリ）、レジスタ、磁気ディスク、光ディスク、ハードドライブ、もしくは他の好適な記憶媒体、またはそれらの任意の組合せを含み得る。機械可読媒体はコンピュータプログラム製品において実施され得る。
【００９６】
[0100]ソフトウェアモジュールは、単一の命令または多数の命令を備え得、いくつかの異なるコードセグメント上で、異なるプログラム間で、および複数の記憶媒体にわたって分散され得る。コンピュータ可読媒体は、いくつかのソフトウェアモジュールを備え得る。ソフトウェアモジュールは、プロセッサなどの装置によって実行されたときに、処理システムに様々な機能を実施させる命令を含む。ソフトウェアモジュールは、送信モジュールと受信モジュールとを含み得る。各ソフトウェアモジュールは、単一の記憶デバイス中に常駐するか、または複数の記憶デバイスにわたって分散され得る。例として、トリガイベントが発生したとき、ソフトウェアモジュールがハードドライブからＲＡＭにロードされ得る。ソフトウェアモジュールの実行中、プロセッサは、アクセス速度を高めるために、命令のいくつかをキャッシュにロードし得る。次いで、１つまたは複数のキャッシュラインが、プロセッサによる実行のために汎用レジスタファイルにロードされ得る。以下でソフトウェアモジュールの機能性に言及する場合、そのような機能性は、そのソフトウェアモジュールからの命令を実行したときにプロセッサによって実装されることが理解されよう。
【００９７】
[0101]また、いかなる接続もコンピュータ可読媒体と適切に呼ばれる。たとえば、ソフトウェアが、同軸ケーブル、光ファイバーケーブル、ツイストペア、デジタル加入者回線（ＤＳＬ）、または赤外線（ＩＲ）、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用されるディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）、およびＢｌｕ−ｒａｙ（登録商標）ディスク（disc）を含み、ここで、ディスク（disk）は、通常、データを磁気的に再生し、ディスク（disc）は、データをレーザーで光学的に再生する。したがって、いくつかの態様では、コンピュータ可読媒体は、非一時的コンピュータ可読媒体（たとえば、有形媒体）を備え得る。さらに、他の態様では、コンピュータ可読媒体は、一時的なコンピュータ可読媒体（たとえば、信号）を備え得る。上記の組合せもコンピュータ可読媒体の範囲内に含まれるべきである。
【００９８】
[0102]さらに、本明細書で説明される方法および技法を実施するためのモジュールおよび／または他の適切な手段は、適用可能な場合にユーザ端末および／または基地局によってダウンロードされ、および／または他の方法で取得され得ることを諒解されたい。たとえば、そのようなデバイスは、本明細書で説明される方法を実施するための手段の転送を可能にするためにサーバに結合され得る。代替的に、本明細書で説明される様々な方法は、ユーザ端末および／または基地局が記憶手段（たとえば、ＲＡＭ、ＲＯＭ、コンパクトディスク（ＣＤ）またはフロッピーディスクなどの物理記憶媒体など）をデバイスに結合するかまたは与えると様々な方法を得ることができるように、記憶手段によって提供され得る。その上、本明細書で説明される方法および技法をデバイスに提供するための任意の他の好適な技法が利用され得る。
【００９９】
[0103]特許請求の範囲は、上記で示された厳密な構成および構成要素に限定されないことを理解されたい。上記で説明された方法および装置の構成、動作ならびに詳細において、特許請求の範囲の範囲から逸脱することなく、様々な改変、変更および変形が行われ得る。
【図１】
2020536439.tif 000008
【図２】
2020536439.tif 000009
【図３】
2020536439.tif 000010
【図４】
2020536439.tif 000011
【図５】
2020536439.tif 000012
【図６】
2020536439.tif 000013
【図７】
2020536439.tif 000014
【図８】
2020536439.tif 000015
【図９】
2020536439.tif 000016
【図１０】
2020536439.tif 000017
【図１１】
2020536439.tif 000018
【国際調査報告】
2020536439.tif 000019
2020536439.tif 000020